(57)【特許請求の範囲】
【請求項１】
少なくとも１つの通路穴を有する接続支持体と、少なくとも１つの通路穴に挿入された少なくとも１つの骨用ネジからなるものであって、
該接続支持体と該骨用ネジは、該接続支持体に対して骨用ネジをある角度で固定するため様々な角度における相互アラインメントを可能にする着座面を有し、且つその着座面下方に予備成形ネジ山を有し、
該予備成形ネジ山は、骨用ネジと接続支持体との間でネジ山結合をするため骨用ネジがネジ込まれたとき、該接続支持体の着座面下方の通路穴の一部を変形させ、
その変形は、接続支持体へある角度で骨用ネジを回転させることにより生じることを特徴とする骨固定用システム。
【請求項２】
ネジ山式結合は、一方の着座面下方の予備成形ネジ山と、他方の着座面下方の少なくとも一つの少なくとも部分的に周方向に伸びる突起戸により形成され、前記突起が予備成形ネジ山の捩じ込みにより変形可能である請求項１記載の骨固定システム。
【請求項３】
着座面が球状もしくは円錐状である請求項１又は２記載の骨固定システム。
【請求項４】
一方の着座面が骨用ネジの頭部下側に形成されるものである請求項１〜３のうちの１項に記載の骨固定システム。
【請求項５】
ネジ山式結合がネジ頭部における一方側着座面下方の部位により形成されるものである請求項１〜４のうちの１項に記載の骨固定システム。
【請求項６】
ネジ山式結合が一方側着座面下方におけるネジ頭部上の予備成形ネジ山により形成されるものである請求項５記載の骨固定システム。
【請求項７】
他方側着座面が接続支持体における通路穴に形成されるものである請求項１〜６のうちの１項に記載の骨固定システム。
【請求項８】
ネジ山式結合が通路穴における他方側着座面下方の部位により形成されるものである請求項１〜７のうちの１項に記載の骨固定システム。
【請求項９】
ネジ山式結合が、通路穴における他方側着座面下方の変形可能な突起により形成されるものである請求項８記載の骨固定システム。
【請求項１０】
変形可能な突起との間隔を置いて、少なくとも一つの更なる、少なくとも部分的に周方向に伸びる突起であって予備成形ネジ山の捩じ込みにより変形可能なものを、他方側着座面下方に配置するものである請求項９記載の骨固定システム。
【請求項１１】
通路穴における他方がわ着座面上方に、少なくとも更にまた一つの、少なくとも部分的に周方向に伸びる突起であって骨用ネジの捩じ込みにより変形可能なものを配置するものである請求項７〜１０のうちの１項に記載の骨固定システム。
【請求項１２】
接続支持体が通路穴の周りに材料厚部分を有しているものである請求項１〜１１のうちの１項に記載の骨固定システム。
【請求項１３】
材料厚部分が、接続支持体における下側および／または上側に形成されるものである請求項１２記載の骨固定システム。
【請求項１４】
骨用ネジがシャンクネジ山を備えたシャンクから構成されるものである請求項１〜１３のうちの１項に記載の骨固定システム。
【請求項１５】
シャンクネジ山が自動切り出しのネジ山であるものである請求項１〜１４のうちの１項に記載の骨固定システム。
【請求項１６】
予備成形ネジ山のピッチが骨用ネジのシャンクネジ山のピッチよりわずかに小さいものである請求項１４又は１５記載の骨固定システム。
【請求項１７】
骨用ネジがドリルチップから構成されるものである請求項１〜１６のうちの１項に記載の骨固定システム。
【請求項１８】
ネジ頭部がツール係合部を備えているものである請求項１〜１７うちの１項に記載の骨固定システム。
【請求項１９】
ネジ頭部は下側に、変形させた材料を収容するための円錐状の溝を備えているものである請求項１〜１８のうちの１項に記載の骨固定システム。
【請求項２０】
通路穴が細長い形状を有しており、また、通路穴の上側エッジが最大レベルの一端側から、最小レベルの他端側まで傾斜していて、通路穴の幅が一端から他端に掛けて減少し、これにより、骨用ネジが一端部の近くまで導入され、ネジ頭部は傾斜したエッジに着座させておき、接続支持体の変位に伴う捩じ込み時、頭部下側が傾斜エッジをスライドし、他端へ接近しながら、最終的に、予備成形ネジ山と変形可能な突起が、ネジ山式結合を形成するものである請求項１〜１９のうちの１項に記載の骨固定システム。
【請求項２１】
接続支持体における中心から遠い通路穴が、近位の通路穴の軸心方向へ傾斜させられていて、遠い骨用ネジと近位の骨用ネジのネジ頭部どおしが、それらネジの足どおしより近いものである請求項１〜２０のうちの１項に記載の骨固定システム。
【請求項２２】
接続支持体が骨用プレート、骨髄釘、もしくは、固定器であるものである請求項１〜２１のうちの１項に記載の骨固定システム。
【請求項２３】
予備成形ネジ山が、変形可能な突起より硬い材料で形成されるものである請求項１〜２２のうちの１項に記載の骨固定システム。
【請求項２４】
骨用ネジもしくはそのケーシングが接続支持体もしくは変形させるべき領域より硬い材料で形成されているものである請求項１〜２３のうちの１項に記載の骨固定システム。
【請求項２５】
骨髄釘を用いる骨用固定システムであって、骨断片を橋絡するための少なくとも一つの通路穴と、通路穴そして骨断片へ捩じ込み骨断片を骨髄釘につなぐ少なくとも一本のロックボルトとを備え、通路穴はロックボルトにネジ山を形成するための内側ネジ山を有し、また、ロックボルトはネジ山無しで円錐状のケーシング領域を持ち、これが内側ネジ山による様々な角度でのネジ山の形成を単純化し、磨耗および削りくずの発生を減らし、形成されたネジ山を確実に固定でき、更に、前記ケーシング領域がコア領域に比べ硬度が低く、これにより、より強い力の伝達が保証されるものであることを特徴とする骨固定システム。
【請求項２６】
ロックボルトのケーシング領域の硬度が、骨髄釘に比べて、少なくとも内側ネジ山の領域において低いものである請求項２５記載の骨固定システム。
【請求項２７】
ロックボルトが円錐状ケーシング領域の両側においてネジ山を支持しており、大径とした円錐状ケーシング領域端部に隣接するネジ山の外径が、小径としたケーシング領域端部に隣接するネジ山の外径より大きいものである請求項２５又は２６記載の骨固定システム。
【請求項２８】
骨髄釘の領域における通路穴の壁厚が薄めであるものである請求項２５〜２７のうちの１項に記載の骨固定システム。
【請求項２９】
通路穴における内側ネジ山が数周分だけの完全な曲りを有しているものである請求項２５〜２８のうちの１項に記載の骨固定システム。
【請求項３０】
通路穴に置ける内側ネジ山が一周から四周分の完全な周方向の曲りを有しているものである請求項２９記載の骨固定システム。
【請求項３１】
骨髄釘のすくなくとも一方側における通路穴のネジ山支持領域において、通路穴の球状もしくは円錐状に外方に伸びる領域がつながるものである請求項２５〜３０のうちの１項に記載の骨固定システム。
【請求項３２】
ロックボルトが、着座面を形成する通路穴の円錐状領域に掛かる着座面であるショルダーを備えているものである請求項３１記載の骨固定システム。
【請求項３３】
ロックボルトの頭部にツール係合部を備えているものである請求項２５〜３２のうちの１項に記載の骨固定システム。
【請求項３４】
接続支持体が、骨端部間を接続支持体により伝達される力を測定刷るためのセンサーと、その読み取り値の遠隔測定的な伝達のためのトランスミッタとを備えているものである請求項１〜３３のうちの１項に記載の骨固定システム。
【請求項３５】
センサー及び／またはトランスミッタが接続支持体の空隙に集められているものである請求項３４記載の骨固定システム。
【請求項３６】
骨用ネジもしくはロックボルト及び／または接続支持体がチタンにより形成されるものである請求項１〜３５のうちの１項に記載の骨固定システム。
【発明の詳細な説明】
【０００１】
本発明は、接続キャリアと、少なくとも一本の骨用ネジ、もしくは、少なくとも一本のロック用ボルトとを備えた骨用固定システムに関する。
【０００２】
このような固定システムは骨接合術に用いられるもので、骨用ネジを骨折した骨の端部に螺合し、接続支持体によりこの骨折部を橋絡する。接続支持体は例えば、骨用プレートや、骨髄用釘、固定器などで良いが、この場合、接合すべき骨折部の性質にあわせるためだけでなく、フラグメントに対する光学的アラインメントや、ターゲットエラーの補償のために骨用ネジが様々な角度で接続支持体へ捩じ込み可能であることが望ましい。
【０００３】
そのために、公知の固定システムにおいては、骨用ネジの頭部にほぼ半球状の着座面を形成する。この着座面のうちひとつは、通路穴において骨用プレートに相対する。例えば、脛骨の骨折で骨折部位の骨双方を互いに接合する場合、これらの骨双方を互いに合わせ、そこへ金属製の骨用プレートを取り付けてから、その骨双方に骨用ネジを捩じ込み、これにより、ネジ頭部の着座面とプレート穴における着座面を互いに係合させ、プレートを骨へ圧させる。その結果、骨折部位の骨双方と、骨用プレートと、骨用ネジとが結合できる。但し、骨用ネジと骨用プレートとの結合に緩みが発生することがこれまでに示されている。その原因のひとつは、ネジ頭部とプレート穴の間の摩擦力が保証している骨用ネジと骨用プレートとの角度接続の安定度が不十分であることである。
【０００４】
一方、骨用ネジと骨用プレートとの角度接続が安定している場合は、装置全体の安全性の獲得につながる。そのような安定した結合を達成するための、各種の解決方法が知られている。ＥＰ―Ａ―１０２０１０２４号公報によれば、それは例えば、骨用プレートへ、圧力プレートを備えることにより行われ、圧力プレートはネジ頭部により張力が掛り、ネジ頭部に対して選択的な角度位置で固定できる。圧力プレートを備えたこの複雑な固定システムは、比較的嵩が大きいことから利用性が制限される。
【０００５】
ＷＯ／８９０４１５０号公報に基づく方法の場合は、ネジ頭部の溝部分を拡張ねじによって拡大し、これにより、プレートの穴へ骨用ネジを押し込む。これによって、ネジ頭部もしくはネジ頭部に巻付けられた挿入体と、プレートの穴とが、共に、球状の着座面をもち、様々な角度でのアラインメントが可能となる。この固定システムの場合も、前述の固定システムと同じく、製造並びに応用が複雑である。
【０００６】
更にまた、ネジ頭部に外側ねじ山を設け、プレート穴に内側ねじ山を設けるという方法も知られている。この場合、ネジを、ねじ山接続によって、骨に捩じ込むと、プレートとネジとの角度的に安定したアラインメントが行える。但しこの方法では、ネジを何らかの角度でプレート穴内に取り付けることが出来ず、ただ単に、ねじ山軸心による所定のアラインメントしかできないという重大な不利益がある。
【０００７】
ＤＥ４３４３１１７Ａ１号公報による上記の不利益を解消するには、骨用ネジを或る角度で骨用プレートへ固定するための手段を、骨用プレートと骨用ネジとにおける着座面通しのねじ山式結合により構成し、そのねじ山は、骨用ネジを、少なくとも一つの着座面に予備成形されているねじ山によって、或る角度で捩じ込むことにより形成する。これにより、骨用ネジの着座面に、そして、骨用プレートの着座面にも、予備成形のねじ山を備えることができる。少なくともひとつのねじ山により骨用ネジを着座面に捩じ込む際に、材料の変形が生じ、それにより、捩じ込み方向においてねじ山結合が形成される。
【０００８】
但しこの方法では、特に、用いるプレートが厚めの場合、材料を変形させるための力が、かなりの強さであり、このような力は、操作範囲内において、何ら問題無く常に集め得るものではないという、相当な不利益がある。従って、それを可能にするために、ＤＥ１９６２９０１１Ａ１号に、骨穴の中で外側ねじ山に合致し、接続支持体の通路穴においてねじ山を変形させる別のボルト状動作体が記されている。しかしながらこのねじ山の変形には、追加的な作業手順が要ることと、通路穴の壁部分から磨耗粒や削りくずが発生するという不利益がある．試験により脛骨プレートにおける通路穴に純粋なチタンを用いた場合通路穴一つにつき０．０００１ｇの削りくずが発生することが示されている。従来の金属製プレートからも同様の量が発生している。従ってこれらのことは、適合性という点から、そして、異物であるという事実から、不都合であると判断される。
【０００９】
以上のことから、本発明の目的は、骨用ネジを様々な角度位置で接続支持体へ捩じ込む事が簡単に行えながら、接続支持体に対する骨用ネジの或る角度位置出の安定した固定が達成される骨用固定システムであって、ねじ山式結合の形成時における磨耗や削りくずの発生を相当に低減できるものを提供することである。
【００１０】
本発明の前記した目的は、特許請求の範囲第１項記載の態様を備えた固定システム並びに請求項第２５項記載の態様を備えた固定システムにより達成できる。また、本発明固定システムの有利な形成形態は従属の請求項に記載している。
【００１１】
請求項第１項の固定システムによれば、少なくとも一本の骨用ネジを固定するための手段が、骨用ネジと接続支持体のそれぞれの着座面下方のねじ山式結合から成り、このねじ山式結合は、骨用ネジと接続支持体のそれぞれの着座面のうち少なくとも一方より下方の予備成形されたねじ山によって骨用ネジを或る角度で捩じ込み、変形により形成される。このねじ山式結合が、着座面においてではなく、着座面の下方において、少なくとも一つの予備成形ねじ山の参加により、変形によって形成されるという事実により、この結合部分のうち変形による影響を受ける部分を相当に減らすことができる。その結果、骨用ネジの捩じ込み操作が単純になり、特別なねじ山形成機によるねじ山形成の中間段階が不必要となる。更に、磨耗粒や削りくずの発生を、重大でないレベルまで減らせる。それにもかかわらず、各着座面とねじ山式結合により、角度的に安定したネジ結合が所望の強度を持って達成される。この点は、変形の結果としての圧力嵌め（摩擦嵌め）および／またはねじ山式結合におけるマテリアル嵌め（摩擦溶接）により保証される。
【００１２】
予備成形ねじ山は、各着座面両方もしくはその一方のみの下方に配置し、これにより、少なくとも一つの予備成形ねじ山もしくはねじ山の無い領域を変形させつつ、ネジ式結合が着座面下方に形成される。ねじ山式結合は、好ましくは、一つの着座面下方の予備成形ねじ山により、そして、他方の着座面下方の少なくとも一つの少なくとも部分的な周方向の突起により形成される。この突起は予備成形ねじ山を捩じ込むことにより簡単に変形させ得る。これにより前記突起のデザインを、予備成形のねじ山による変形を単純化できる、例えば、ひれ形状や唇形状などのデザインとすることが出来る。前記突起はまた、螺旋状のねじ山に対照して、穴の軸芯を中心として円形のラインに沿って対称に配置することも出来る．この手段により、前記突起のための空間必要性が小さくなり、また、捩じ込み力の、穴の軸心に対する捩じ込み軸の位置への従属度合いが減る。
【００１３】
着座面は球状もしくは円錐状が好ましく、この手段により、骨用ネジを接続支持体へ様々な角度で捩じ込み、配置することが支援される。また、一方側の着座面を骨用ネジのネジ頭部の下側に形成することが好ましい。これにより、ねじ山式結合が、ネジ頭部における一方側着座面下方部分によって形成できる．この方法により着座面と、固定手段とを骨用ネジへ、空間節約しながら形成できる。
【００１４】
更なる好ましい形態によれば、他方側の着座面を、接続支持体における通路穴に形成する。これにより、ねじ山式結合が、前記通路穴における前記他方側着座面下方の連絡部分により形成できる．このセクションは、前記他方側着座面下方の少なくとも一つの変形可能な突起から構成されることが好ましい。これにより、接続支持体において、他方側着座面と、更には固定手段までもが、空間節約可能な方法で収容される。また、先に述べた骨用ネジと接続支持体の形成方法に従い、例えば厚さ数ミリの骨用プレートをネジ頭部を骨用プレート上側に突出させることなく形成できる。
【００１５】
更なる形成方法によれば、変形可能な突起に対して間隔を空けて、少なくとも一つの更なる、他方側着座面下方に少なくとも部分的に周方向に伸びる突起を配置する．この突起は予備成形されたねじ山を捩じ込むことにより変形し得る。従って、骨用ネジは、捩じ込んだ後、数個の変形可能な突起へ確実に着座させられる．この手段により、角度接続を更に安定させることができる。通路穴における他方側着座面上方においても角度接続を更に安定化させることを目的として、骨用ネジの捩じ込みにより変形し得る少なくとも更にひとつの少なくとも部分的に周方向に伸びる突起を配置してよい。これにより、断面形状が燕尾状の通路穴壁が形成され、一層好ましいネジ頭部と穴壁との接触が為され、これにより、自らの角度位置における骨用ネジによる安定度合が、更に安定させられる。
【００１６】
比較的薄い接続支持体の場合、すなわち例えば、距腿関節や、頚椎、下肢における身体から遠い端部などの領域への適用が望ましい厚さ１〜２ミリ程度の骨用プレートの場合、通路穴を中心とした部分に材料厚を持たせても良い。この材料厚は、骨用ネジの適用（もしくはねじ山変形）より先に存在させてもよいし、骨用ネジの捩じ込みによる材料変位の結果として備えるようにしてもよい。この材料厚は接続支持体の下側に形成するのが好ましい。但し、下側への形成の代わりに、もしくは、更に追加的に、接続支持体の上側に形成して良い。接続支持体下側の材料厚が、接続支持体と骨との点状の接触を確保するので、接触の無い領域における骨表面の血管への供給、つまりは、治療プロセスが改善される．更に、この材料厚により、接続支持体へのネジ頭部の沈め込みが簡略化でき、ネジ頭部部分突出による危険性を低減できる。
【００１７】
主として、骨用ネジは、骨に捩じ込むためのシャンクねじ山を持ったシャンクから構成する。シャンクねじ山は、自動切削ねじ山であり、特別な工具を用いたネジ切操作は不要である。予備成形されたねじ山のピッチは、順次角度安定性から離れるように骨用ネジのシャンクねじ山のピッチよりわずかに小さくし、骨表面に対する接続支持体の押圧力を達成する。これは、接続部分全体に対して重要な安全性が更に追加的に得られたことを示す。
【００１８】
また、骨用ネジはドリルチップで構成してもよく、これにより、骨にあらかじめ穴をあけるプレドリルが不要になる。また、捩じ込みを簡単にするために、ネジ頭部に例えば六角インバスなどのツール係合部を設けても良い。更に、骨用ネジ表面への円錐状溝の形成は、変形した材料の収容を可能とし、骨用ネジの接続支持体通路穴への取り付けを簡単にするので有益である。
【００１９】
更なる形態によれば、通路穴は細長形状を持ち、そして、通路穴の上端縁は、最大レベルの一端側から最低レベルの他端側へ傾斜し、それにより、通路穴の幅が一端側から他端側に掛けて狭くなる。従って、通路穴一端側領域へ導入された骨用ネジは頭部により、傾斜端縁へ着座させられ、そして捩じ込みと変位により、接続支持体が、ネジ頭部下側を傾斜上端縁に乗せた状態ですべり、最終的に、頭部下端側を取り囲んで、予備成形のねじ山がねじ山式結合を成す。これにより、他端側領域のエッジ部分が着座面の下方に位置する変形可能な突起を形成する。従って、骨用ネジの捩じ込みにより、接続支持体の変位と、それに伴う断片端部の追加的な圧縮が成し得る。ところで、二つの断片をこのように圧縮することにより、同様に、安定性が増大させられることが知られている。この手順によっても、骨治療によるブリッジの必要なギャップについての撹乱を基本的に避けることが出来る。
【００２０】
更なる改良点は、接続支持体における通路穴を、橋絡させるべき骨折部分に対するどの側においても、幾分傾斜させた配置とした点にある。互いに中心から遠く、基部に位置する通路穴のこの傾斜した位置により、捩じ込んだ骨用ネジが互いに拡がる。すなわち、ネジ頭部どおしが、（例えばドリルチップを取り付ける）足部分どおしより互いにいっそう近くなる。接続支持体の軸心と骨に対するこの拡がりネジ位置により、接続支持体と骨を介した負荷の元での安定性の増大と、力の遷移性の改良が得られる。
【００２１】
接続支持体は、特に、骨用プレート、骨髄釘、もしくは、固定器の場合である。
【００２２】
予備成形されたねじ山は、予備成形ねじ山が変形させる領域、特に、変形可能な突起よりも硬い材料から形成される。このために、骨用ネジもしくはそのケーシングは、接続支持体もしくは接続支持体における変形させるべき領域より硬い材料で形成する．これにより、ねじ山式結合部分の製造が更に簡単になり、その強度も改良される。
【００２３】
請求項第２５項の固定システムは、骨断片を橋絡するための少なくとも一つの通路穴と、通路穴から骨断片へ捩じ込み骨断片を骨髄釘へつなぐための少なくとも一本のロックボルトとを備えた骨髄釘を有する。更に通路穴にはロックボルトと噛合うねじ山となる内側ねじ山を備えている。一方、ロックボルトは、ケーシング領域を持ち、このケーシング領域が、様々な角度での内側ねじ山による前記ねじ山形成を単純化し、これにより、磨耗や削りくずの発生を低減させ、形成ねじ山を確実に固定する。ケーシング領域は、ねじ山無しであり、様々な角度で捩じ込み得るという性質を利するため円錐状とし、ロックボルトの核部分よりも低い硬度を持たせることにより、ロックボルトを介して強いめの力の伝達が確保される。前記ねじ山形成と、このねじ山の確保とを更に支援するため、ロックボルトのケーシング領域の硬度を、少なくとも内側ねじ山の領域において骨髄釘よりも低い硬度とする。更に、ロックボルトは円錐状ケーシング領域におけるどちらの側にも、骨に捩じ込むための様々な外径のねじ山を支持し得ることが好ましい。これにより、大きな外径を、円錐状ケーシング領域における大きな外径の側に配置して、ロックボルトの骨及び骨髄釘への捩じ込みを可能にし、これを支援する。
【００２４】
捩じ込みモーメントの低減と、磨耗や削りくず発生の減少を目的として、骨髄釘における特定の領域について通路穴の壁厚を減少させても良い。これにより追加的に、様々な角度で行い得るアラインメントのレンジが増大する。この目的のため、通路穴におけるねじ山に、完璧な曲り部分を数個だけ設けてよい．そのために更に、骨髄釘の少なくとも一つの側において、通路穴におけるあらかじめ形成され仕上げられたねじ山を支持する領域において、通路穴における球状もしくは円錐状に外方へ伸びる領域をつないでも良い。ロックボルトを自らの角度位置に保持するために、ケーシング領域にショルダーを形成し、このショルダーが着座面として、同様に着座面を形成する通路穴の球状もしくは円錐状領域と協働する。これにより、そして更には、ケーシング領域の円錐形態により、また更には妥当な場合骨用ねじ山によって、ロック釘の保持が達成され、骨表面へのボルト頭部の支持による保持を多少不必要にする。ロックボルトを適用するためにロックボルトの頭部にツール係合部を備える事は、いづれにしても、有益である．尚、原則的に、ツール係合部は骨よりも突出する必要は無い。
【００２５】
本発明の更なる形態によれば、接続支持体は、骨端部間で接続支持体により伝達される力を測定するための例えば抵抗線ひずみ計（ＷＳＧ）などのセンサーと、その読み取り値を遠隔測定的に伝達するためのセンサーを備える。このセンサーおよび／またはトランスミッタを接続支持体の空洞に一体的に組み込んでも良い。これにより、骨への負荷のモニター、つまりは、治療プロセスの制御が可能となり、患者の動作の修正が容易になる。
【００２６】
骨用ネジ、ロックボルト、及び／または、接続支持体はチタン製が好ましく、骨用ネジ、ロックボルト、接続支持体、もしくは、これらシステムコンポーネントのパーツとしては、種々の材料特性を備えたチタンを用いて良い。
【００２７】
骨への捩じ込み時の骨用ネジのセンタリングを改良することを目的として、接続支持体の着座面に、着座面に相応する形を備えた本発明固定システムの穴ゲージを適用してよい。この穴ゲージのドリル穴により骨に予め穴を形成できる。これにより、骨用ネジ着座面の中央主要位置が、ネジの通路穴そして骨への捩じ込み時に確保される。
【００２８】
本発明の更なる詳細並びに利点は望ましい実施形態についての以下の説明により明白になる。図において示されているものは、以下のとおりである。
【００２９】
図１の骨用ネジ１は、頂部に六角のインバス３、底部に球状着座面４、その下に短い予備成形ねじ山５を備えたネジ頭部２を有する。予備成形ねじ山５の下にはネジシャンクがつながる。このネジシャンクは、骨用ねじ山７と、ネジチップ８を持ち、ネジチップ８はドリルチップの形状として良く、それにより、自ら骨に穴を掘る。また、骨用ねじ山は自動切り出しねじ山として形成できる。
【００３０】
図２（ａ）〜（ｉ）は各ケースごとに骨用プレートとして形成される接続支持体における様々な形状の通路穴９を示している。
【００３１】
図２（ａ）の場合、通路穴９のほぼ中央の円錐状着座面１１の下方に、環状の突起（もしくは凸部）を配置する。通路穴９はその下に、円錐状の延長部分１３を有する。
【００３２】
図２（ｂ）の場合、前記通路穴９に、円錐状着座面が形成され、この円錐状着座面は、通路穴９のほぼ中央に周方向に環状に走る突起１２に連続する。通路穴９は突起１２の下に、球状の延長部１３を有する。
【００３３】
図２（ｃ）と図２（ｄ）は通路穴９の底部に突起１２を設けている。これにより、下方に位置する突起１２が、円錐状着座面１１（図２ｃ）もしくは球状着座面１１（図２ｄ）を制限する。
【００３４】
図２（ｄ）の場合、通路穴９は下端を突起１２で制限され、上端は別の突起１４により制限される。突起１２は、下方向にテーパー状を成す下部着座面１１'の下端に形成され、上部突起１４は、上向きにテーパー状を成す着座面１１''の上端に形成される。従って、断面図において、接続支持体１０の通路穴９は「燕尾」形になっている。
【００３５】
図２（ｆ）の場合、円錐状着座面の下に、二つの突起１' 、１２''があり、一方の突起１２' は同時に着座面の端部を示しており、また、もう一つの突起１２''は最初に述べた突起１２''から軸方向に間隔をおいて配置している。
【００３６】
図２（ｇ）の通路穴９は、着座面１１が二つの突起１２' 、１２''の上方に球状に形成されるという点に特色がある。
【００３７】
図２（ｈ）の実施例において、通路穴９は、図２（ｆ）のものとは異なり、樽などの出っ張りに似た材料厚部分１５を接続支持体１０の下側に配置している。また、この実施例において、下方向にテーパー状を成す円錐状着座面１１の下に、着座面１１を制限する突起１２' 、その下に間隔をあけて更なる突起１２''を配置している。
【００３８】
図２(ｇ)の実施形態に対比される図２（ｉ）の実施形態の場合、同様に、通路穴９を中心として、樽状出っ張りに似た材料厚部分を配置する。この材料厚部分は接続支持体１０の下側に位置している。この場合も、球状着座面１１が突起１２' によって制限され、突起１２' の下に間隔をおいて更なる 突起１２''を配置している。
【００３９】
骨用ネジ１は、図２（ａ）〜２の接続支持体１０の実施例における通路穴９の軸心に対して様々な角度位置で捩じ込める。これにより、予備成形のねじ山５が、突起１２、１２' 、１２''を変形させ、これにより、骨用ネジと通路穴９とのねじ山式結合が、正確に捩じ込み軸線の方向に沿って形成される。突起１２の材料の変形時、予備成形ねじ山３の、もしくは、突起に隣接する空隙が大きくなり、その結果、拡がった支持体横断面においてねじ山式結合が生じる。そして最後に、着座面４が実施例のうちひとつの着座面１１の球状頭部下側に着座し、これにより、個々の捩じ込み角度で支持される。そのとき、ネジ頭部２は接続支持体１０の上側のレベル以上に突出しない。更に、達成された端部位置で骨用ネジ１は、突起１２（もしくは１２' 、１２''）の領域で各接続支持体１０に対して非ポジティブフィット式もしくは摩擦嵌め式結合により保持される。
【００４０】
図３〜５は、角度的に安定な骨用ネジ・骨用プレート結合を伴う骨用プレート１０' の通路穴９' の細長状形成方法を示している。通路穴９' は 骨用プレート１０' の主軸方向に細長い延長部を有しており、一端９'' から他端９''' にかけてテーパー状となる。更に、上端縁１６が一端９から他端９''' まで傾斜している。上端縁１６の側方には、基本的に球状の着座面１１''が形成され、端部９''の周囲では完全なものになっている。この場合、上端縁１６はＶ領域で、容易に変形可能な突起１２に連続しており、同時に突起１２は通路穴９' を下方向において制限している。
【００４１】
図５において、通路穴９' に挿入するネジは、エッジ１６上のネジ頭部２における着座面４もしくはエッジ１６を取り巻く着座面１１' によって下方にスライドし、骨断片１７' へ捩じ込まれる。これにより 、骨用プレート１０' の骨に対するＲ方向での変位が生じ、骨断片１７' が隣接の骨断片１７''へ押圧される。ネジ頭部２が着座面１１' に着座し、完全に通路穴９' に含まれる場合、予備成形ねじ山５は、突起１２の変形により、角度的に安定なネジ結合を形成している。そのときに到達している圧縮位置において骨断片１７' 、１７''は一体に押圧されつづける。
【００４２】
図６において、部位不詳の骨折箇所を有する筒状の骨１８に骨髄釘１９を挿入する。骨髄釘１９は骨折箇所の両側に少なくとも一つの通路穴２０を有する。通路穴２０は両側に、領域２０' 、２０''を持ち、これら領域は球状に外方に広がり、中央部の領域２０''' がネジ山を支持する。 ねじ山支持領域２０''は凸状に屈曲して、もしくは、丸くなって通路穴２０の中心軸方向へ伸びる。ねじ山２１は完全な周方向の曲りがほぼ三周する。骨髄釘１９全体は、比較的硬いチタンで形成して良い。
【００４３】
骨折部両側の通路穴２０へ、ロックボルト２２を適用する。ロックボルト２２のほぼ円錐状の中間部位２３は、外部円錐状コア領域２３''と、外部円錐状コーティング領域２３' を持つ。ロックボルトは、円錐状中間部位２３の両側に、骨に捩じ込むねじ山２４，２５を持ち、中間部位２３端部の大きな外径のねじ山２４は、反対側のねじ山２５よりも外径が大きい。いづれの場合もねじ山２４、２５の外径は少なくとも、円錐状中間部位２３の境界部分での外径と同様の大きさである。
【００４４】
ロックボルト２２は、ねじ山２４の他端に頭部２６を持ち、そこに六角ソケット２７という形態のツール係合部を形成している。
【００４５】
ロックボルト２２も同様に、完全にチタン製で製造される。これにより、コア領域２２''、骨用ねじ山２４、２５、頭部２６が、コーティング領域２３' より硬いチタン材料により形成されることになる。
【００４６】
骨髄釘が挿入され、骨断片１８が配列され、エックス線装置の支援をうけて通路穴２０の位置を確認しておいて、筒状骨１８の横方向に、通路穴２０に通じる掘抜き穴２８をあける。そしてロックボルト２２を捩じ込むと、ロックボルト自体が、ねじ山２４、２５によって、骨１８にネジを切る。更に、ねじ山２１がコーティング領域２３' にねじ山を形成し、コーティング領域２３' の円錐形状による螺進の増大に伴って、この ねじ山結合の強度が増加する。ねじ山２４、２５の基本的な円錐形状により、そして、ロックボルト２２の頭部２６を骨１８の外側に配置することにより、更に確実性が得られる。また、例えば穴２８の組み込みによるターゲットエラーによって生じるロックボルト２２の様々な角度アラインメントは、通路穴２０と、中間部位２３の形成によって補償される。
【００４７】
図７において、ロックボルト２２' は、大径のねじ山２４' 下方に、着座面を形成する通路穴２０の球状領域２０' に係止される対応の着座 面を形成するショルダー２９を有する。これにより、骨１８と、骨髄釘１９におけるロックボルト２２' の着座について更なる改良が達成される。
【図面の簡単な説明】
【図１】  骨用ネジの正面図である。
【図２】  図２の（ａ）〜（ｉ）は接続支持体に形成した種々の通路穴の部分断面図である。
【図３】  接続支持体の一部分における細長い通路穴の平面図である。
【図４】  同じ細長通路穴を示した接続支持体の部分縦断面図である。
【図５】  同じ細長通路穴における二つの変位位置に骨用ネジを用いた状態を示す接続支持体およびその下方に位置する骨の部分縦断面図である。
【図６】  筒状の骨内部に取りつけたロックボルトを備えた骨髄釘の概略縦断面図である。
【図７】  骨髄釘の通路穴における着座面に取りつけたケーシング領域にショルダーを持つロックボルトの部分断面図である。
【図１】
0004155710.tif 000002
【図２】
0004155710.tif 000003
【図３】
0004155710.tif 000004
【図４】
0004155710.tif 000005
【図５】
0004155710.tif 000006
【図６】
0004155710.tif 000007
【図７】
0004155710.tif 000008